(57)【要約】【課題】  従来のプレートと骨との強固な一体的な接合関係は、骨表面の血管と細胞の働きを阻害し骨の壊死を起こすおそれがあると共に、骨に加わる外力が骨折部位にストレスとして伝達されないため、骨折部位の正常な治療が阻害されてしまうおそれがあった。【解決手段】  骨にネジ止めすべき複数個の取付孔２を長手方向に有する細長板形状のプレート本体１において、前記取付孔２の間の中間プレート部３に薄肉プレート部４を形成してなる骨折治療用プレート。【選択図】  図６
2015167779.tif 000002
【特許請求の範囲】
【請求項１】
骨にネジ止めすべき複数個の取付孔を長手方向に有する細長板形状のプレート本体において、前記取付孔と取付孔の間の中間プレート部に薄肉プレート部を形成してなる骨折治療用プレート。
【請求項２】
少なくとも２個の取付孔の間の中間プレート部に薄肉プレート部を形成してなる請求項１に記載の骨折治療用プレート。
【請求項３】
薄肉プレート部を骨と接触しないように骨と接触するプレート面側に薄肉プレート部として凹陥形状部を設けてなる請求項１又は２に記載の骨折治療用プレート。
【請求項４】
取付孔の周囲に接合突起部を設けることによって前記接合突起部を除く中間プレート部を薄肉プレート部として形成してなる請求項１、２又は３に記載の骨折治療用プレート。
【発明の詳細な説明】
【技術分野】
【０００１】
本発明は、骨折治療用プレートに関する。
【背景技術】
【０００２】
骨折治療用プレートによって骨折した骨を接合する場合、骨に沿って骨折した部位を跨ぐようにプレートを設置し、プレートを複数本の固定ネジによって骨に固定していた。プレートには複数個の取付孔が穿孔されていて、固定ネジをこの取付孔を通して骨に螺合させてプレートを骨に固定するものである。
【０００３】
この種の骨折治療用プレートを開示するものとして、例えば、特許文献１がある。特許文献１の図４には、長手方向に沿って断面が弓形状に反ったプレートが示されいる。このようなプレートを特許文献１の図１に記載のように骨の骨折部位に固定ネジで固定する場合には、弓形状の両端部が長手方向に直線的に骨の側面に強固に密着して、プレートが撓んで曲がるようなことはなくなり、骨とプレートとの強固な接合状態になる。
【０００４】
また、骨折部位の骨形成治療には、適度の圧縮荷重と引張荷重からなるストレスを加えることが有効であることは、非特許文献１の結論に記載されているように、従来から知られている。
【先行技術文献】
【特許文献】
【０００５】
【特許文献１】特開平２０１０−１１９６３８号公報
【非特許文献】
【０００６】
【非特許文献１】金沢大学十全医学界雑誌、１０４（６）：６６８−６７０  １９９５−１２−０１発行「骨形成と力学的刺激に関する実験的研究とその理論化」青山和裕
【発明の開示】
【発明が解決しようとする課題】
【０００７】
しかしながら、従来の骨とプレート本体との強固に密着した接合状態では、歩行訓練などで加わる外力がプレートを骨に固定する固定ネジと取付孔に集中するため、経時変化によって固定ネジの骨に対する螺合が緩んでしまうおそれがあった。のみならず、プレートと骨との強固な一体的な接合関係により、骨表面の血管と細胞の働きを阻害し骨の壊死を起こすおそれがあると共に、歩行訓練などで加わる外力が骨折部位にストレスとして伝達されないため、骨折部位の正常な治療が阻害されてしまうおそれがあった。
【課題を解決するための手段】
【０００８】
そこで、本発明は、特許請求の範囲の請求項１に記載のように、骨にネジ止めすべき複数個の取付孔を長手方向に有する細長板形状のプレート本体において、前記取付孔と取付孔の間の中間プレート部に薄肉プレート部を形成してなる骨折治療用プレートを提供しようとするものである。
【０００９】
また、本発明は、請求項２に記載のように、少なくとも２個の取付孔の間の中間プレート部に薄肉プレート部を形成してなる請求項１に記載の骨折治療用プレートを提供しようとするものである。
【００１０】
また、本発明は、請求項３に記載のように、薄肉プレート部を骨と接触しないように骨と接触するプレート面側に薄肉プレート部として凹陥形状部を形成してなる請求項１又は２に記載の骨折治療用プレートを提供しようとするものである。
【００１１】
また、本発明は、請求項４に記載のように、取付孔の周囲に突起部を設けることによって前記突起部を除く中間プレート部を薄肉プレート部として形成してなる請求項１、２又は３に記載の骨折治療用プレートを提供しようとするものである。
【発明の効果】
【００１２】
本発明に係る骨折治療用プレートによれば、特許請求の範囲の請求項１に記載のように、骨にネジ止めすべき複数個の取付孔を長手方向に有する細長板形状のプレート本体において、前記取付孔と取付孔の間の中間プレート部に薄肉プレート部を形成してなる構成を有することにより、複数個の取付孔で骨に固定されたプレートに力が加わった時に、取付孔の中間プレート部に設けた薄肉プレート部が撓んでプレートを弾力的に維持するから、固定ネジを介して骨と取付孔との接合が弾力的に強靱に維持され、接合されたプレートから骨に圧縮や引張荷重などからなるストレスが確実に伝達されて、その刺激を受けた骨折部の治癒効果が高められる効果がある。
【００１３】
また、請求項２に記載の本発明によれば、少なくとも２個の取付孔の中間に薄肉プレート部を形成してなる構成を有することにより、薄肉プレート部を間に骨折部位を跨いで取付孔を骨に固定することができる効果がある。
【００１４】
また、請求項３に記載の本発明によれば、薄肉プレート部を、骨と接触しないように骨と接触するプレート面側に薄肉プレート部として凹陥形状部を形成してなる構成を有することにより、骨と接触するプレート面の面積を薄肉プレート部分だけ減ずることができるから、プレート面と骨の弾性変形の自由度を確保できると共に、骨の壊死を防止することができる効果がある。
【００１５】
また、請求項４に記載の本発明によれば、取付孔の周囲に突起部を設けることによって前記突起部を除く中間プレート部を薄肉プレート部として形成してなる構成を有することにより、プレートの突起部を除く大部分のプレート面を骨から離れた状態に維持することができると共に、大部分が薄肉プレート部からなるプレート本体を弾力的に維持することができ、且つ、骨の壊死をプレート本体の大部分で防止することができる効果がある。
【図面の簡単な説明】
【００１６】
【図１】本発明の実施例１の平面図。
【図２】本発明の実施例１の底面図。
【図３】本発明の実施例１の右側面図。
【図４】本発明の実施例１の長手方向中央断面図。
【図５】本発明の実施例１の表側斜視図。
【図６】本発明の実施例１の裏側斜視図。
【図７】本発明の実施例２の要部の概略底面図。
【図８】本発明の実施例２の要部の概略底面図。
【図９】本発明の実施例２の要部の概略底面図。
【図１０】本発明の実施例３の要部の概略断面形状図。
【図１１】本発明の実施例４の要部の概略断面形状図。
【発明を実施するための形態】
【００１７】
以下図示する実施例により本発明を詳細に説明する。
【実施例１】
【００１８】
図１乃至図６に示す実施例１において、１は骨にネジ止めすべき複数個の取付孔２を長手方向に有する細長板形状のプレート本体で、耐食性のある人用ではチタン材料、動物用ではステンレス材料などからなる。プレート本体１の隣り合う取付孔２の間の中間プレート部３は、実施例１の場合、表裏において薄肉プレート部４が形成してある。
【００１９】
プレート本体１の骨に接合する裏側においては、取付孔２の外周にリング状の接合突起部５が設けてあり、接合突起部えを除いた中間プレート部３はそのまま薄肉プレート部４を形成している。この場合、プレート本体１の裏側において、取付孔２の外周のリング状の接合突起部５がプレート本体１の板厚の構成部分となり、接合突起部５を除いた中間プレート部３はそのまま骨には接合しない薄肉プレート部４となる。
【００２０】
また、プレート本体１の骨に接合しない表側においては、隣り合う取付孔２の間の中間プレート部３を横断して凹陥形状部６が設けてあり、この凹陥形状部６がプレート本体１の中間プレート部３の板厚を薄くする本発明に係る薄肉プレート部４を形成している。
このように、固定ネジで骨に固定された取付孔２と取付孔２の間の中間プレート部３に設けた薄肉プレート部４は、プレート本体１に力が加わった時に撓んでプレート本体１を弾力的に維持するから、固定ネジを介して骨と取付孔との接合が弾力的に強靱に維持され、接合されたプレート本体１から骨に圧縮や引張荷重などからなるストレスが確実に伝達されて、その刺激を受けた骨折部の治癒効果が高められることとなる。
【００２１】
前記取付孔２は、深さが略同一の上孔２ａと下孔２ｂとからなり、固定ネジの頭部の嵌合する上孔２ａはネジ軸部が嵌合する下孔２ｂより大きい孔径を有する。
また、プレート本体１の隣り合う取付孔２の間の中間プレート部３の骨に接合しない両側面には、中間プレート部３の薄肉プレート部４の幅を取付孔２の上孔２ａの幅と略同一の幅に狭める括れ部７が設けてあり、固定ネジのネジ頭部からの力がほぼ同一幅の上孔２ａを介して括れ部７を設けた薄肉プレート部４に比較的に全体的に偏り無く加わるように構成してある。
【実施例２】
【００２２】
実施例２は、実施例１において、プレート本体１の骨に接合する裏側の取付孔２の外周に接合突起部５を設けた構成のもので、接合突起部５を除いた中間プレート部３がそのまま薄肉プレート部４を構成するものである。接合突起部５の形態は、実施例１におけるリング形状のものに限らず、図７に記載の多数の数珠形状のもの、図８に記載の間欠リング形状のもの、図９に記載の取付孔を中心に相対する棒状のものがある。
【００２３】
図では省略したが、図７、図８又は図９において、接合突起部５の数が２個以上の複数個のものを等間隔を含む適宜な間隔で設けたもの、また、接合突起部５を間欠形状で設けたものでは放射状に配置したもの、花弁状に配置したものがあり、リング形状のものでは星形又は連続小円弧形などの幾何学的形状のものなどがある。
【実施例３】
【００２４】
実施例３は、図１０に記載のように、プレート本体１の骨に接合する裏側の隣り合う取付孔２の間の中間プレート部３を横断して凹陥形状部８が設けてあるものである。凹陥形状部８を設けることによって、中間プレート部３に薄肉プレート部４を構成することができると共に。骨との接触面を減少することができる。
【００２５】
図示の実施例３では、凹陥形状部８は実施例１の表側に設けた凹陥形状部６と同じ中間プレート部３に設けてあるが、単独で設けることも、適宜に複数本設けることも可能である。また、凹陥形状部８と凹陥形状部６の配置は、同一位置や全く重ならないように設けることも、図１０のように、一部が重なるように設けることも、互い違いに交互に設けるなど、適宜に設けることが可能である。
【実施例４】
【００２６】
実施例４は実施例１の表側に設けた凹陥形状部６や実施例３の裏側の凹陥形状部８が半円弧形状の溝であるのに対して、他の種々の凹陥形状にした実施例を示すものである。図１１に記載した（ａ）は底狭の台形、（ｂ）はＶ字形、（ｃ）は長方形の凹陥形状である。その他Ｕ字形など、種々の凹陥形状の組合せが考えられる。また、凹陥形状の溝幅や深さは適宜に設定可能である。
【符号の説明】
【００２７】
１    プレート本体
２    取付孔
３    中間プレート部
４    薄肉プレート部
５    接合突起部
６    凹陥形状部
７    括れ部
８    凹陥形状部
【図１】
2015167779.tif 000003
【図２】
2015167779.tif 000004
【図３】
2015167779.tif 000005
【図４】
2015167779.tif 000006
【図５】
2015167779.tif 000007
【図６】
2015167779.tif 000008
【図７】
2015167779.tif 000009
【図８】
2015167779.tif 000010
【図９】
2015167779.tif 000011
【図１０】
2015167779.tif 000012
【図１１】
2015167779.tif 000013